(57)【要約】      （修正有）【課題】取り付け固定を簡単に行え、かつ、安価な足場の幅木取付装置を提供する。【解決手段】垂直支柱２１にほぼ半周巻回される半円弧状の下係合部の一端部に一体形成された下延出部と、その端部に上向きに折れ曲がって延び出して一体形成されて、上端部が垂直支柱２１方向へのばね性を有する固定部３０に一体形成されて、垂直支柱２１方向に折れ曲げられた上向きのばね性を有する延長部３２を設ける。さらに延長部３２の端部に水平に対して斜め上向きに延び出して一体形成された上延出部３４の端部に一体形成され、垂直支柱２１にほぼ半周巻回される半円弧状の上係合部３６、および、その端部に一体形成された把持部を配する。垂直支柱２１と固定部３０の上端部および延長部３２の下端部との間に幅木２４を狭持しつつ、固定部３０のばね性により狭持状態の幅木２４を垂直支柱２１方向に押し付けて幅木２４を取り付け固定する。【選択図】図３
0003152828.tif 000002
【実用新案登録請求の範囲】
【請求項１】
垂直方向に複数並設された垂直支柱および水平方向に複数並設された水平支柱と、前記支柱同士の間に、作業者が歩行したり工具等を載置するために水平に架設される足場板とを備える仮設足場であって、前記足場板に沿って側面からの落下防止用の幅木を取り付け固定する足場の幅木取付装置において、
金属線材からなり前記垂直支柱にほぼ半周巻回されて前記垂直支柱に係合されるばね性を有する半円弧状の係合部と、
前記係合部の端部に水平に延び出して一体形成された延出部と、
前記延出部の端部に上または下向きに延び出して一体形成され先端部が前記垂直支柱に接近するように弓状に湾曲されて前記垂直支柱方向へのばね性を有する固定部と
を備え、
前記係合部を前記垂直支柱に係合した状態で、前記垂直支柱と前記固定部の先端部との間に前記幅木を狭持しつつ、前記固定部により狭持状態の前記幅木を前記垂直支柱方向に押し付けて前記幅木を取り付け固定することを特徴とする足場の幅木取付装置。
【請求項２】
前記係合部を下係合部として、前記延出部を下延出部としてそれぞれ備え、前記固定部が前記延出部の端部に上向きに延び出して形成され、
前記固定部の上端にさらに上向きに延び出して一体形成され先端部が前記垂直支柱方向へ屈曲されて上向きへのばね性を有する延長部と、
前記延長部の先端に水平に対して斜め上向きに延び出して一体形成された上延出部と、
前記上延出部の端部に一体形成され前記垂直支柱にほぼ半周巻回されて前記垂直支柱に係合されるばね性を有する半円弧状の上係合部とをさらに備え、
前記両係合部を前記垂直支柱に係合した状態で、前記垂直支柱と前記固定部の上端部との間に前記幅木を狭持しつつ、前記固定部により狭持状態の前記幅木を前記垂直支柱方向に押し付けて前記幅木を取り付け固定することを特徴とする請求項１に記載の足場の幅木取付装置。
【請求項３】
前記下係合部と前記上係合部の前記垂直支柱への巻回の向きが互いに反対であることを特徴とする請求項２に記載の足場の幅木取付装置。
【請求項４】
少なくとも前記上係合部の端部に把持部を備えることを特徴とする請求項２または３に記載の足場の幅木取付装置。
【請求項５】
前記垂直支柱と前記固定部の上端部および前記延長部の下端部との間に、少なくとも２枚の前記幅木を重ねた状態で狭持可能に、前記下延出部および前記上延出部の長さが設定されていることを特徴とする請求項２ないし４のいずれに記載の足場の幅木取付装置。
【請求項６】
前記金属線材がばね鋼線材からなることを特徴とする請求項１ないし５のいずれかに記載の足場の幅木取付装置。
【考案の詳細な説明】
【技術分野】
【０００１】
本考案は、例えば建築現場、土木現場、解体現場などにおける仮設足場で支柱に幅木を取り付け固定するための幅木取付装置に関する。
【背景技術】
【０００２】
従来、建築現場、土木現場、解体現場などでは仮設足場が設置されるが、この種仮設足場は、例えば図７に示されるように構成されている。すなわち、図８に示すように、この仮設足場１は、並設された複数の垂直支柱２と、これらの垂直支柱２同士の間に水平支柱２Ａが架設され、これら水平支柱２Ａ同士の間にフック部１２により足場板１０と、垂直支柱２同士の間に斜めに掛け渡された補強用のブレース３と、垂直支柱２同士の間に水平に掛け渡された手摺り４とを含んで構成されている。この手摺り４は、仮設足場１における建物とは反対側の背面側に配設されており、左右方向を長手方向とする幅木５は、この背面側となっている足場板１０の側端部に、足場板１０の長さ方向に沿って取り付けられ、この幅義５により、足場板１０の上に乗って作業を行う作業者や足場板１０の上に載せられている工具類等が仮設足場１の背面側から落下することが防止されている。（特許文献１の段落００３０および図１参照）。
【先行技術文献】
【特許文献】
【０００３】
【特許文献１】特開２００９−４１３２８号公報
【考案の概要】
【考案が解決しようとする課題】
【０００４】
ところで、上記した幅木５の取り付け固定は、従来、例えば針金により幅木５を支柱に固定したり、特殊なクランプを用いて支柱に取り付け固定し、特殊な連結部材により幅木５同士を連結することが行われている。
【０００５】
この特殊クランプＫは、例えば図８に示すように、円筒を１箇所で縦割りした形状の円筒部材１４を垂直支柱２に外嵌して円筒部材１４の縦割り部分の両側にぞれぞれ設けられたボルト挿通部１５ａ，１５ｂのボルト挿通孔１６ａ，１６ｂにボルトを挿通し、ナットを螺合することより円筒部材１４を垂直支柱２に締め付けることで垂直支柱２に固着し、円筒部材１４に一端が固着されたＬ字状の保持棒１７により足場板１０の端部に沿って立設された幅木５を足場板１０側から保持して固定するようになっている。また、幅木５の連結部分には、図９に示すように、連続配置された幅木５の繋ぎ目部分に上から、平板を断面コ字状に屈曲してなる連結部材Ｊを被せるようにして装着し、幅木５同士を連結するようになっている。
【０００６】
しかしながら、上記した針金による幅木の取付固定では、針金の固定作業に手間と時間を要し、しかも高所での針金の締付作業には熟練を要するため、限られた熟練作業者しか作業を行うことができず、仮設足場の設置作業の負担が大きくなって作業効率の向上の妨げになるという問題があった。
【０００７】
また、上記した特殊クランプＫや連結部材Ｊを使用する場合、クランプＫの基部１４の両半円筒部材１４Ａを垂直支柱２の所定位置に設置してボルト締めを行う作業に非常に手間と時間を要する上、幅木５の連結のために、特殊クランプＫ以外に別途上記下断面Ｕ字状の連結部材Ｊを準備しなければならず、コスト面で効果になるという問題もあった。
【０００８】
本考案は、幅木の取り付け固定を簡単に行えるようにし、取り付け作業に熟練を要さず安価な取付装置を提供することを目的とする。
【課題を解決するための手段】
【０００９】
上記した目的を達成するために、本考案では、垂直方向に複数並設された垂直支柱および水平方向に複数並設された水平支柱と、前記支柱同士の間に、作業者が歩行したり工具等を載置するために水平に架設される足場板とを備える仮設足場であって、前記足場板に沿って側面からの落下防止用の幅木を取り付け固定する足場の幅木取付装置において、金属線材からなり前記垂直支柱にほぼ半周巻回されて前記垂直支柱に係合されるばね性を有する半円弧状の係合部と、前記係合部の端部に水平に延び出して一体形成された延出部と、前記延出部の端部に上または下向きに延び出して一体形成され先端部が前記垂直支柱に接近するように弓状に湾曲されて前記垂直支柱方向へのばね性を有する固定部とを備え、前記係合部を前記垂直支柱に係合した状態で、前記垂直支柱と前記固定部の先端部との間に前記幅木を狭持しつつ、前記固定部により狭持状態の前記幅木を前記垂直支柱方向に押し付けて前記幅木を取り付け固定することを特徴としている（請求項１）。
【００１０】
また、本考案は、前記係合部を下係合部として、前記延出部を下延出部としてそれぞれ備え、前記固定部が前記延出部の端部に上向きに延び出して形成され、前記固定部の上端にさらに上向きに延び出して一体形成され先端部が前記垂直支柱方向へ屈曲されて上向きへのばね性を有する延長部と、前記延長部の先端に水平に対して斜め上向きに延び出して一体形成された上延出部と、前記上延出部の端部に一体形成され前記垂直支柱にほぼ半周巻回されて前記垂直支柱に係合されるばね性を有する半円弧状の上係合部とをさらに備え、前記両係合部を前記垂直支柱に係合した状態で、前記垂直支柱と前記固定部の上端部との間に前記幅木を狭持しつつ、前記固定部により狭持状態の前記幅木を前記垂直支柱方向に押し付けて前記幅木を取り付け固定するとしてもよい(請求項２）。
【００１１】
また、本考案は、前記下係合部と前記上係合部の前記垂直支柱への巻回の向きが互いに反対であるとしてもよい(請求項３）。
【００１２】
また、本考案は、少なくとも前記上係合部の端部に把持部を備えるとしてもよい（請求項４）。
【００１３】
また、前記垂直支柱と前記固定部の上端部および前記延長部の下端部との間に、少なくとも２枚の前記幅木を重ねた状態で狭持可能に、前記下延出部および前記上延出部の長さが設定されているとしてもよい(請求項５）。
【００１４】
また、本考案は、前記金属線材がばね鋼線材からなるとしてもよい（請求項６）。
【考案の効果】
【００１５】
請求項１に係る考案では、金属線材からなる半円弧状の係合部の端部に一体形成された延出部の端部に、上または下向きに延び出して先端部が垂直支柱に接近するように弓状に湾曲して固定部を一体形成することにより、固定部の先端部に垂直支柱に向かう方向のばね性を持たせることができ、係合部を垂直支柱に係合した状態で、垂直支柱と固定部のばね力を有する先端部との間に幅木を狭持しつつ、固定部により狭持状態の幅木を垂直支柱方向に押し付けることができて幅木を取り付け固定することができる。これによって、下係合部を垂直支柱に係合させるだけで幅木を取り付け固定することが可能となり、従来のように取り付け作業に熟練を必要とせず、金属線材からなる安価な取付装置により、簡単に幅木を垂直支柱と固定部の上端部との間に狭持して幅木を取り付け固定することができる。
【００１６】
また、請求項２に係る考案では、下係合部および上係合部を垂直支柱に係合した状態で、垂直支柱と固定部との間に幅木を狭持しつつ、固定部のばね性により狭持状態の幅木を垂直支柱方向に押し付けて幅木を取り付け固定するため、下係合部および上係合部を垂直支柱に係合させるだけで幅木を取り付け固定でき、下係合部の係合だけの場合と比べて、より強固に幅木を取り付け固定することができる。このとき、延長部の先端部が上向きへのばね性を有するため、この延長部に一体形成された上延出部、および、この上延出部に一体形成された上係合部が上向きのばね性を持つこととなり、両係合部を垂直支柱に係合した状態では、下係合部自体が下向きのばね性を発揮することとなり、これら両係合部および固定部のばね性の作用によって、幅木を垂直支柱に効果的に押し付けて固定することができる。
【００１７】
また、請求項３に係る考案では、下係合部と上係合部の垂直支柱への巻回の向きを互いに反対にしたため、下係合部および上係合部を垂直支柱に係合させたときに下係合部および上係合部の巻回方向への互いに反対方向への捩れ力が作用して、下係合部および上係合部をいっそう強固に垂直支柱に係合させることができ、結果的に幅木をよりいっそう強固に取り付け固定することができる。
【００１８】
また、請求項４に係る考案では、少なくとも上係合部の端部に把持部を備えたため、把持部を把持しつつ先ず下係合部を続いて上係合部を垂直支柱に容易に係合させることができ、熟練度の低い作業者であってもより簡単に幅木を取り付け固定することができる。
【００１９】
また、請求項５に係る考案では、少なくとも２枚の前記幅木を重ねた状態で狭持可能に下延出部および上延出部の長さが設定されているため、従来のような特殊な連結部材を用いずとも幅木を連結して取り付け固定することが可能になる。
【００２０】
また、請求項６に係る考案では、金属線材をばね鋼線材とししたため、ばね鋼を加工するだけで取付装置を安価に製造できる。
【図面の簡単な説明】
【００２１】
【図１】本考案に係る足場の幅木取付装置の一実施形態の斜視図である。
【図２】一実施形態の幅木取付装置を垂直支柱に取り付ける途中のある状態を示す斜視図である。
【図３】一実施形態の幅木取付装置を垂直支柱に取り付ける途中の異なる状態を示す斜視図である。
【図４】一実施形態の幅木取付装置を垂直支柱に取り付けた状態を示す斜視図である。
【図５】図４の異なる方向から見た状態の斜視図である。
【図６】本考案の他の一実施形態に係る足場の幅木取付装置の斜視図である。
【図７】一般の仮説足場の斜視図である。
【図８】従来の幅木取付装置の斜視図である。
【図９】従来の幅木を連結する装置の斜視図である。
【考案を実施するための形態】
【００２２】
本考案に係る足場の幅木取付装置の一実施形態について図１ないし図５を参照して説明する。なお、図１は斜視図、図２は垂直支柱に取り付ける途中のある状態を示す斜視図、図３は垂直支柱に取り付ける途中の異なる状態を示す斜視図、図４、図５は垂直支柱に取り付けた状態におけるそれぞれ異なる方向からの斜視図である。
【００２３】
図１ないし図５に示すように、例えば建築現場における仮設足場を構成する複数の垂直支柱２１（図８の垂直支柱２と同等）および水平支柱２２（図８の水平支柱２Ａと同等）のうち、垂直支柱２１との間に平板状の幅木２４（図８の幅木５と同等）を狭持して固定する足場の幅木取付装置は、下係合部２６、下延出部２８、固定部３０、延長部３２、上延出部３４、上係合部３６および下、上把持部３８ａ，３８ｂを備える。なお、４０は図８の足場板１０と同等の足場板である。
【００２４】
そして、下係合部２６は、垂直支柱２１に対してほぼ半周巻回されるように、垂直支柱２１の直径とほぼ同じか若干大きい曲率の半円弧状に金属線材であるばね鋼線材が湾曲加工されて形成され、この下係合部２６の一端部に水平に延び出して下延出部２８が一体形成され、下延出部２８の端部に上向きに折れ曲がり、さらに上方に延び出して固定部３０が一体形成されている。
【００２５】
ここで、固定部３０は、その上端部が垂直支柱２１に接近するように弓状に湾曲して形成されており、これにより固定部３０の上端部は垂直支柱２１方向へのばね性を持って形成されている。なお、下係合部２６の他端部には線材を円状に巻回してなる下把持部３８ａが一体形成されている。
【００２６】
さらに、固定部３０の上端に連続してさらに上向きに延び出して延長部３２が一体形成され、この延長部３２の先端部が垂直支柱方向へ折れ曲げられており、これにより延長部３２の先端が上方向へのばね性が持って形成されている。そして、延長部３２の先端に、上延出部３４が水平に対して斜め上向きに延び出して一体形成され、この上延出部３４の端部には上係合部３６が一体形成されている。この上係合部３６は、垂直支柱２１に対して反対向きにほぼ半周巻回されるように、垂直支柱２１の直径とほぼ同じか若干大きい曲率の半円弧状に金属線材であるばね鋼線材が湾曲加工されて形成されている。そして、延長部３２の先端部が上向きへのばね性を有するため、この延長部３２に一体形成された上延出部３４、および、この上延出部３４に一体形成された上係合部３６が上向きのばね性を持つこととなる。なお、上係合部３６の端部には、下把持部３８ａと同様、線材が巻回されてなる上把持部３８ｂが一体形成されている。
【００２７】
そして、下、上係合部２６，３６を垂直支柱２１に係合することにより、垂直支柱２１と固定部３０との間に幅木２４を狭持しつつ、固定部３０のばね性により狭持状態の幅木２４が垂直支柱２１方向に押し付けられ、幅木２４が垂直支柱２１に取り付け固定されるが、このとき下係合部２６および上係合部３６を垂直支柱２１に係合させたときに、下係合部２６および上係合部３６の垂直支柱２１への巻回時の互いに反対方向への捩れ力の作用が相俟って、下係合部２６自体が下向きのばね性を発揮し、これら両係合部２６，３６および固定部３０のばね性の作用によって、幅木２４を垂直支柱２１に効果的に押し付ける押付け力を発揮して幅木２４が固定される。このとき、下係合部２６を第１の作用点、上係合部３６を第２の作用点、固定部３０の先端部を第３の作用点とする３箇所において、幅木２４が垂直支柱２１に押し付けられて固定状態に保持されることとなる。
【００２８】
したがって、上記した実施形態によれば、両係合部２６，３６を垂直支柱２１に係合させることで、垂直支柱２１と固定部３０との間に幅木２４を狭持しつつ、固定部３０の先端部のばね力により狭持状態の幅木２４を垂直支柱２１方向に押し付けて幅木２４を取り付け固定するため、下係合部２６および上係合部３６を垂直支柱に係合させるだけで、従来のように取り付け作業に熟練を必要とせず、簡単に幅木２４を強固に取り付け固定することができる。しかも、金属線材として安価なばね鋼線材を使用しているため、加工が容易でばね性を発揮し易く、かつ、非常に安価で実用的な幅木取付装置を提供することができる。
【００２９】
また、下係合部２６と上係合部３６の垂直支柱２１への巻回の向きを互いに反対にしたため、下係合部２６および上係合部３６を垂直支柱２１に係合させたときに下係合部２６および上係合部３６の巻回方向への互いに反対方向への捩れ力が作用して、下係合部２６および上係合部３６をいっそう強固に垂直支柱２１に係合させることができ、結果的に幅木２４をよりいっそう強固に取付固定することができる。
【００３０】
さらに、下係合部２６および上係合部３６の端部にそれぞれ下把持部３８ａおよび上把持部３８ｂが設けられているため、両把持部３８ａ，３８ｂそれぞれを把持しつつ先ず下係合部２６を、続いて上係合部３６を垂直支柱２１に容易に係合させることができ、取り扱いが容易になって、熟練度の低い作業者であってもより簡単に幅木２４を取り付け固定することができる。
【００３１】
なお、本考案は上記した実施形態に限定されるものではなく、本考案の趣旨を逸脱しない範囲において種々の変更が可能である。例えば、下係合部２６および上係合部３６の垂直支柱２１に対する巻回の向きは同じであってもよい。
【００３２】
さらに、図６に示すように、上記した実施形態における延長部３２、上延出部３４、上係合部３６および把持部３８を省略し、下係合部２６、下延出部２８および固定部３０のみからなる構成であってもよく、このとき下係合部２６を逆向きに使用、すなわち下係合部２６を上側に配置して固定部３０が下を向くようにして使用してもよい。
【００３３】
また、下把持部３８ａは特に備える必要はなく、上把持部３８ｂのみを備える構成であってもよい。
【００３４】
さらに、少なくとも２枚の幅木２４を重ねた状態で狭持可能に下延出部２８および上延出部３４の長さを設定してもよく、このようにすれば、例えば２枚の幅木２４を連結部分に対して、従来のような特殊な連結部材Ｊなどを用いなくても２枚の幅木２４を連結状態で取り付け固定することが可能になり、連結と固定を兼ねた安価な構成の装置を提供することができる。
【００３５】
また、幅木２４の幅寸法に応じて固定部３０から延長部３２にかけての寸法を設定し、複数の寸法のものを準備しておけば、幅寸法の異なる複数種類の幅木２４を取り付け固定することが可能になる。
【００３６】
さらに、金属線材の材質や線径は必要なバネ力に応じたものを選定すればよく、例えばばね鋼の場合には、直径３．０ｍｍのものが加工し易さおよびばね力の双方の観点から好適である。また、金属線材として使用する材質は上記したばね鋼に限るものではなく、強固な材質であって強い弾性力（ばね力）を有する線材をであれば、いずれであってもよい。
【産業上の利用可能性】
【００３７】
本考案は、建設現場に限らず、土木現場、解体現場における仮設足場で支柱に幅木を取り付け固定するための幅木取付装置として利用可能である。
【符号の説明】
【００３８】
２１    垂直支柱
２４    幅木
２６    下係合部
２８    下延出部
３０    固定部
３２    延長部
３４    上延出部
３６    上係合部
３８ｂ    上把持部
【図１】
0003152828.tif 000003
【図２】
0003152828.tif 000004
【図３】
0003152828.tif 000005
【図４】
0003152828.tif 000006
【図５】
0003152828.tif 000007
【図６】
0003152828.tif 000008
【図７】
0003152828.tif 000009
【図８】
0003152828.tif 000010
【図９】
0003152828.tif 000011